(57)【特許請求の範囲】
【請求項１】
原料土及び必要に応じて添加される土質改良材としての添加材を内部に投入して破砕混合するための円筒状の容器と、前記容器に前記原料土を投入するための投入口と、前記容器内で前記原料土が破砕混合処理されて製造された改良土を取り出すための取出口と、
前記円筒状の容器の中心に設けられた鉛直方向の回転軸と、
前記回転軸に１段または複数段に取り付けられ、前記回転軸の回転により容器内で遠心回転し、前記原料土を破砕混合する複数の帯状衝撃付加部材と、
を備えた回転式破砕混合装置を用いた改良土の製造管理システムであって、
前記改良土の目標品質に関する情報を入力するための改良土情報入力手段と、
前記原料土に関する情報を入力するための原料土情報入力手段と、
前記改良土の目標品質の実現に適した回転式破砕混合装置の設定条件と前記原料土に関する情報との関係に関するデータまたは関係式を記憶させた設定記憶手段と、
前記改良土情報入力手段に入力された情報と、前記原料土情報入力手段に入力された情報に基づいて、前記設定記憶手段に記憶された既存のデータまたは関係式を用いて、前記回転式破砕混合装置の設定条件を比較または演算して決定する設定条件決定手段と、
を備え、
前記改良土の目標品質に関する情報には、改良土の用途に関する情報、改良土の強度に関する情報、改良土の粒度に関する情報、改良土の含水比に関する情報、及び改良土の性状に関する情報を含み、
前記原料土に関する情報には、原料土の種類に関する情報、原料土の粒度に関する情報、原料土の含水比に関する情報、及び原料土の性状に関する情報を含み、
前記回転式破砕混合装置の設定条件には、前記回転軸の回転数、前記帯状衝撃付加部材の形態または仕様、前記帯状衝撃付加部材の位置及び本数、前記回転式破砕混合装置の処理量または稼働時間に関する条件を含む、
ことを特徴とする回転式破砕混合装置を用いた改良土の製造管理システム。
【請求項２】
請求項１記載の回転式破砕混合装置を用いた改良土の製造管理システムにおいて、さらに前記設定条件決定手段によって決定された前記回転式破砕混合装置の設定条件を表示する表示手段を備えていることを特徴とする回転式破砕混合装置を用いた改良土の製造管理システム。
【請求項３】
請求項１記載の回転式破砕混合装置を用いた改良土の製造管理システムにおいて、さらに前記回転式破砕混合装置から排出された改良土の測定品質の情報を入力するための改良土測定品質情報入力手段と、入力された改良土の測定品質の情報と前記改良土の目標品質とを対比して前記回転式破砕混合装置の設定条件を補正するフィードバック手段を備えていることを特徴とする回転式破砕混合装置を用いた改良土の製造管理システム。
【請求項４】
原料土及び必要に応じて添加される土質改良材としての添加材を内部に投入して破砕混合するための円筒状の容器と、前記容器に前記原料土を投入するための投入口と、前記容器内で前記原料土が破砕混合処理されて製造された改良土を取り出すための取出口と、
前記円筒状の容器の中心に設けられた鉛直方向の回転軸と、
前記回転軸に１段または複数段に取り付けられ、前記回転軸の回転により容器内で遠心回転し、前記原料土及び添加材を破砕混合する複数の帯状衝撃付加部材と、
を備えた回転式破砕混合装置を用いた改良土の製造方法であって、
前記回転式破砕混合装置には、
前記改良土の目標品質に関する情報を入力するための改良土情報入力手段と、
前記原料土に閧する情報を入力するための原料土情報入力手段と、
前記改良土の目標品質の実現に適した回転式破砕混合装置の設定条件と前記原料土に関する情報との関係に関する既存のデータまたは関係式を記憶させた設定記憶手段と、
前記改良土情報入力手段に入力された情報と、前記原料土情報入力手段に入力された情報に基づいて、前記設定記憶手段に記憶された既存のデータまたは関係式を用いて、前記回転式破砕混合装置の設定条件を比較または演算して決定する設定条件決定手段と、
を備えた製造管理システムが設けられており、
前記改良土情報入力手段によって、前記改良土の用途に関する情報、改良土の強度に関する情報、改良土の粒度に関する情報、改良土の含水比に関する情報、及び改良土の性状に関する情報を入力するステップと、
前記原料土情報入力手段によって、前記原料土の種類に関する情報、原料土の粒度に関する情報、原料土の含水比に関する情報、及び原料土の性状に関する情報を入力するステップと、
前記改良土情報入力手段及び前記原料土情報入力手段によって入力した情報に基づいて、前記設定記憶手段に記憶されたデータまたは関係式を用いて、前記回転式破砕混合装置の設定条件を比較または演算して決定するステップと、
前記設定条件決定手段によって決定された回転式破砕混合装置の設定条件に基づいて前記回転式破砕混合装置を稼働させるステップと、
を備えることを特徴とする回転式破砕混合装置を用いた改良土の製造方法。
【発明の詳細な説明】
【技術分野】
【０００１】
本発明は建設発生土などを原料として改良土を製造するための回転式破砕混合装置を用いた改良土の製造管理システムに関するものである。
【背景技術】
【０００２】
本願の出願人は、建設発生土などを改良して有効利用するための回転式破砕混合工法及びその工法に用いられる回転式破砕混合装置を開発し、特許文献１〜７の他、多数の特許を取得している。【０００３】
回転式破砕混合工法は、円筒状の容器内で高速回転する帯状衝撃付加部材（以下、インパクト部材という。）を備えた回転式破砕混合装置を用い、インパクト部材の衝撃力により、容器内に投入された建設発生土の破砕、細粒化を行う工法であり、材料を細かく均質に分散させる効果を有する。また、必要に応じ、添加材として生石灰、消石灰などの石灰系固化材や、普通セメント、高炉セメントなどのセメント系固化材、あるいは高分子材料からなる土質改良材などを混合し、改良土の性状や強度などを調整することができる。【０００４】
この回転式破砕混合工法は、従来工法に比べて土砂の適用範囲が広いため、従来工法では改良が難しかった土砂も均質に混合できる。すなわち、高速回転する帯状衝撃付加部材の衝撃力により、粘土塊を細かく解きほぐし、軟岩は細かく破砕して混合するので、安定した品質の土砂を製造することができる。その結果、これまでは場外処分していた建設発生土などの有効利用が図れ、環境負荷の低減、工事費事業費コストの削減が可能となる。【０００５】
このように、回転式破砕混合工法は、一つの機構で破砕と混合を同時に行うことができ、高含水比粘性土から軟岩まで幅広い土砂性状に適応するため、建設発生土等の有効利用に適している。
【先行技術文献】
【特許文献】
【０００６】
【特許文献１】日本国特許第３５５４８２９号公報
【特許文献２】日本国特許第３３８９２０２号公報
【特許文献３】日本国特許第３６４３５８７号公報
【特許文献４】日本国特許第３８４２０６２号公報
【特許文献５】日本国特許第４６０１９５１号公報
【特許文献６】日本国特許第４６７５５７１号公報
【特許文献７】日本国特許第５８４７３９４号公報
【発明の概要】
【発明が解決しようとする課題】
【０００７】
回転式破砕混合工法において、改良を目的とする材料（地盤材料、土質材料）は、土を対象としているため、深度や位置、天候などにより土の性状は変化する。そのため、２〜３種の土や岩を混合、あるいは破砕混合して粒度調整する場合や、土に添加材を混合する場合、プラントの規模や能力に対して処理量が過大であったり、インパクト部材の本数や回転数が大きい場合、プラントに大きな負荷がかかり不具合が生じる恐れがある。【０００８】
一方、プラントの規模や能力に対して処理量が過小であったり、インパクト部材の本数や回転数が小さい場合、プラントに負荷がかからないが、材料が破砕不足であったり混合が不十分であったりと、改良土の品質が低下して、目標品質が得られないなど、改良土による施工に支障が生じる恐れがある。【０００９】
本発明は、回転式破砕混合装置を用いた改良土の製造における上述のような課題の解決を図ったもので、使用材料の性状に応じて、プラント仕様（処理量、インパクト部材の本数、回転数など）を最適化して、高品質で安定した改良土を製造し、適用箇所に安定した改良土を供給することができる回転式破砕混合装置を用いた改良土の製造管理システムを提供することを目的としている。
【課題を解決するための手段】
【００１０】
本発明は原料となる建設発生土等の地盤材料から改良土を製造するための回転式破砕混合装置を用い、改良土の用途や製造時の使用材料の性状や量に応じて、処理量、インパクト部材の本数、回転数等、プラントの仕様を最適化して、高品質で安定した改良土を製造できるようにするための製造管理システム及び製造方法に関するものである。【００１１】
回転式破砕混合装置自体の基本形態は、背景技術の項で説明した公知のものであり、原料土及び必要に応じて添加される土質改良材としての添加材を内部に投入して破砕混合するための円筒状の容器と、前記容器に前記原料土を投入するための投入口と、前記容器内で前記原料土が破砕混合処理されて製造された改良土を取り出すための取出口と、前記円筒状の容器の中心に設けられた鉛直方向の回転軸と、前記回転軸に１段または複数段に取り付けられ、前記回転軸の回転により容器内で遠心回転し、前記原料土を破砕混合する複数のインパクト部材（帯状衝撃付加部材）とを備えた回転式破砕混合装置を用いる。【００１２】
本発明の製造管理システムはこのような回転式破砕混合装置を、改良土の用途や製造時の使用材料の性状や量に応じて、効率的に運用するためのシステムであり、以下のａ〜ｄの手段を備えている。
ａ．前記改良土の目標品質に関する情報を入力するための改良土情報入力手段
ｂ．前記原料土に関する情報を入力するための原料土情報入力手段
ｃ．前記改良土の目標品質の実現に適した回転式破砕混合装置の設定条件（運転条件を含む）と前記原料土に関する情報との関係に関するデータ（既存の実績に基づくデータを含む）または関係式を記憶させた設定記憶手段
ｄ．前記改良土情報入力手段に入力された情報と、前記原料土情報入力手段に入力された情報に基づいて、前記設定記憶手段に記憶されたデータまたは関係式を用いて、回転式破砕混合装置の設定条件を比較または演算して決定する設定条件決定手段【００１３】
本発明において、前記改良土の目標品質に関する情報には、改良土の用途または強度に関する情報、改良土の粒度に関する情報、改良土の含水比に関する情報、及び改良土の性状に関する情報のうちの少なくとも２以上を含むものとする。【００１４】
また、前記原料土に関する情報には、原料土の種類に関する情報、原料土の粒度に関する情報、原料土の含水比に関する情報、及び原料土の性状に関する情報のうちの少なくとも２以上を含むものとする。【００１５】
前記回転式破砕混合装置の設定条件には、前記回転軸の回転数、前記インパクト部材の形態または仕様、前記インパクト部材の位置または本数、前記回転式破砕混合装置の処理量（例えば、処理総量、1時間当たりあるいは1日当たりの製造土量など）または稼働時間に関する条件のうちの少なくとも２以上を含むものとする。【００１６】
上述のような構成を有する本発明の製造管理システムにおいては、既往の施工実績などをもとに、改良目標に応じた使用材料（地盤材料、土質材料）と添加材、そして最適な改良品質が得られるプラント仕様の組み合わせをデータベース化して、プラントシステムに組み込むことで、プラントの仕様を最適化して、高品質で安定した改良土を製造することができる。【００１７】
なお、改良土の製造プラントには、回転式破砕混合装置だけではなく、原料土の搬送設備や添加材の供給設備、改良土の搬出設備などが含まれ、さらに原料土や、添加材、改良土の保管設備などが設けられる場合もあり、これらの稼働、運転条件なども含めて総合的に管理するシステムとすることもできる。【００１８】
また、本発明の製造管理システムおいて、さらに設定条件決定手段によって決定された回転式破砕混合装置の設定条件や運転条件、他の設備の稼働、運転状況などを表示するディスプレイなどの表示手段を設ければ、プラント設備の管理状況を視覚化することができる。【００１９】
また、本発明の製造管理システムによって製造された改良土が目標品質を満たしていることの確認として、回転式破砕混合装置から排出された改良土の品質を測定し、測定された品質の情報を入力するための改良土測定品質情報入力手段及び入力された改良土の測定品質の情報と改良土の目標品質とを対比して回転式破砕混合装置の設定条件を補正するフィードバック手段を設けることで、目標品質を満たしていない場合の修正や、過剰な品質となっている場合の修正を行うことができる。【００２０】
また、原料土についても、天候や採取位置の変化、その他の影響により製造中に原料土の性状が変化することがあるため、適時、原料土の含水比や強度、改良土の品質を測定して、それらのデータもリアルタイムでプラントシステムに反映させ、データベースに蓄積してシステムの精度を高め、改良品質と生産性の向上を図ることができる。【００２１】
本発明の回転式破砕混合装置を用いた改良土の製造方法は、上述した製造管理システムを用いた改良土の製造手順を与えるものであり、前記改良土情報入力手段によって、前記改良土の用途または強度に関する情報、改良土の粒度に関する情報、改良土の含水比に関する情報、及び改良土の性状に関する情報のうちの少なくとも２以上を入力するステップと、前記原料土情報入力手段によって、前記原料土の種類に関する情報、原料土の粒度に関する情報、原料土の含水比に関する情報、及び原料土の性状に関する情報のうちの少なくとも２以上を入力するステップと、前記改良土情報入力手段及び前記原料土情報入力手段によって入力した情報に基づいて、前記設定記憶手段に記憶されたデータまたは関係式を用いて、前記回転式破砕混合装置の設定条件を比較または演算して決定するステップと、
前記設定条件決定手段によって決定された回転式破砕混合装置の設定条件に基づいて前記回転式破砕混合装置を稼働させるステップとを備えることを特徴とする。
【発明の効果】
【００２２】
本発明の製造管理システムにおいては、既往の施工実績などをもとに、改良目標に応じた使用材料と添加材、そして最適な改良品質が得られるプラント仕様の組み合わせをデータベース化して、プラントシステムに組み込むことで、プラントの仕様を最適化して、高品質で安定した改良土を製造することができる。【００２３】
さらに、製造中も原料土の含水比や強度、及び改良土の品質を測定して、それらのデータもリアルタイムでプラントシステムに反映させることで、システムの精度を高め、改良品質と生産性の向上を図ることができる。
【図面の簡単な説明】
【００２４】
【図１】本発明で用いる回転式破砕混合装置による改良土の製造の機構を概略的に示した斜視図である。
【図２】本発明で用いる回転式破砕混合装置の機構の一例を示す鉛直断面図である。
【図３】本発明で用いる回転式破砕混合装置の機構の一例を示す水平断面図である。
【図４】インパクト部材の異なる形態例を示した図である。
【図５】本発明の回転式破砕混合装置を用いて、原料土に対し添加材を加えて改良土を製造する工程の一例を示した概要図である。
【図６】本発明の製造管理システムにおけるモニター上の運転管理画面の一例を示した図である。
【図７】本発明における改良土の製造工程を示すフローチャートである。
【発明を実施するための形態】
【００２５】
以下、本発明の実施形態を図面に基づいて説明する。
図１は本発明で用いる回転式破砕混合装置による改良土の製造の機構を概略的に示した斜視図である。図２、図３は回転式破砕混合装置の機構の一例をそれぞれ鉛直断面図、水平断面図として示したものである。
【００２６】
回転式破砕混合装置１の本体部分は、原料土Ｒ１、Ｒ２、Ｒ３及び必要に応じて添加される添加材を内部に投入して破砕混合するための円筒状の容器２と、容器２に原料土Ｒ１、Ｒ２、Ｒ３を投入するための投入口３と、容器２内で原料土Ｒ１、Ｒ２、Ｒ３が破砕混合処理されて製造された改良土Ｔを取り出すための取出口４と、円筒状２の容器の中心に設けられた鉛直方向の回転軸５と、回転軸５に１段または複数段に取り付けられ、回転軸５の回転により容器２内で遠心回転し、原料土Ｒ１、Ｒ２、Ｒ３を破砕混合する複数のインパクト部材（帯状衝撃付加部材）６を備えている。
【００２７】
図１では、例えば建設発生土である原料土Ｒ１が粘土及びシルト、原料土Ｒ２が砂質土、原料土Ｒ３が軟岩及び礫であると想定し、これらの原料土Ｒ１、Ｒ２、Ｒ３を投入口３から容器２内に投入し、回転軸５の回転によりインパクト部材６を高速回転させ、投入された原料土Ｒ１、Ｒ２、Ｒ３を破砕、あるいは解砕すると共に均一に混合して行く。
【００２８】
なお、実際には現場の状況、改良土の用途、目標品質等に応じて、原料土が現場発生土などの１種類あるいは２種類で、必要に応じ石灰やセメント系固化材などの土質改良材としての添加材を加えるといったことが行われる。
【００２９】
容器２内では、高速回転するインパクト部材６の打撃力により、軟岩や礫を細かく砕きながら、粘土やシルトなどの粘性質の材料を解きほぐし、複数種の原料土Ｒ１、Ｒ２、Ｒ３を細かく均一に混合し、高品質の改良土Ｔを得ることができる。
【００３０】
改良土Ｔはその用途に応じて、含水比や、強度、粘性、流動性などの性状が目標品質となるように、原料土Ｒ１、Ｒ２、Ｒ３の選択、組み合わせ（配合量など）、破砕混合の程度などを調整するが、必要に応じて容器２内に石灰やセメント系固化材などの添加材を加えて破砕混合することで用途に応じた目標品質が得られるようにする。
【００３１】
添加材は、原料土Ｒ１、Ｒ２、Ｒ３とともに投入口３から投入するか、あるいは別途、添加材用の注入口を設けて投入する。
【００３２】
図２に示すように、容器２は支持フレーム７で支持され、容器２の上部に原料土等を投入するために投入口３が設けられ、容器２の下部に改良土が排出される取出口４が設けられている。なお、投入口３及び取出口４の内面には、それぞれ土砂の付着を防止するための高分子板３ａ、４ａが取り付けられている。
【００３３】
回転軸５は容器２内の中心部に垂直に配置される上下一対の軸受８ａ、８ｂにより回転自在に支持される。上部の軸受８ａは容器２の上部に架設されたスポークまたはステー（図示省略）などにより、容器２内の上部中心部に保持されている。下部の軸受８ｂについても、容器２の下部に配置されたスポークまたはステーなどにより、容器２の下部中心部に保持されている。
【００３４】
図２、図３に図示した例では、容器２が上部筒体２ａ、下部筒体２ｂ、中間筒体２ｃの３つの部分に分かれており、中間筒体回転用モーター１５により中間筒体２ｃが回転軸５と逆向きに回転するようになっている。図中、１６ａ、１６ｂは、中間筒体２ｃの外周に設けられたフランジ２ｄを支持するための中間筒体回転支持ベアリングである。
【００３５】
中間筒体２ｃの内面には、縦に延びる帯状のスクレーパ９が複数本（図では４本）取り付けられており、中間筒体２ｃが回転軸５と逆向きに回転することで、容器２内面に付着する土砂をかき取ることができるようになっている。
【００３６】
図２、図３の実施形態におけるインパクト部材６は、金属製のチェーン６ａの先端に鋼製の厚板６ｂを取り付けたもので、回転軸５の周囲に複数段（図では３段）、放射状に取り付けている。このインパクト部材６は、原料土の種類や性状、処理量、添加材の種類、量、改良土の目標品質などに応じて、取り付ける本数を調整することができる。
【００３７】
インパクト部材６の取り付けについては、チェーン６ａの基端部側にあるチェーン環を回転軸５の外周に設けた上下一対のフランジ２１ａ、２１ｂ間に介在させ、フランジ２１ａ、２１ｂのロック孔とチェーン環とを上下に一致させた後、これらの孔にロックピン２２を差し込むことで行われる。
【００３８】
インパクト部材６は、回転式破砕混合装置１が停止した状態では下方に垂れ下がった状態にあり、容器２の外側に取り付けたモーター１１を駆動することで、原動プーリ１２、ベルト１３、従動プーリ１４を介して回転軸５が高速回転し、それに伴う遠心回転により図２、図３に示すように水平面内で高速回転する。
【００３９】
図２において、符号３５は、回転式破砕混合装置１で製造され、取出口４から排出された改良土を搬出するための排出コンベア３５である。
【００４０】
図４はインパクト部材６の他の形態例を示したものである。
図４（Ａ）のインパクト部材６は金属製のチェーン６ａを主体にして構成されているものである。図４（Ｂ）のインパクト部材６は金属製のブレード６ｃを主体にして構成されているものである。図４（Ｃ）のインパクト部材６は可撓性のある金属製のワイヤ６ｄからなるものである。図４（Ｄ）のインパクト部材６は多角形の金属製のワッシャ６ｅをボルト・ナットで集結した構造のものからなる。
【００４１】
このほか金属製ロッド、金属製ブレード、金属製チェーン、金属製ワイヤなどの先端に球形、キューブ形、円柱形など適当形状のハンマを取り付けたハンマ型インパクト部材などを使用することもできる。
【００４２】
図５は本発明の回転式破砕混合装置を用いて、原料土Ｒに対し、添加材Ａを加えて改良土Ｔを製造する工程の一例を示したものである。
【００４３】
製造工程の流れは、バックホウ３１で原料土Ｒを土砂ホッパ３２に投入し、土砂フィーダ３３で定量供給し、計量コンベア（原料土の重量を計量するベルトスケール）３４を経て、投入コンベア３５から回転式破砕混合装置１に投入し、回転式破砕混合装置１で製造された改良土Ｔを排出コンベア３６で取り出す流れとなる。
【００４４】
この例では、現場に添加材貯蔵サイロ３７が設置され、計量コンベア３４で計量され、投入コンベア３５で運ばれている原料土に添加材を添加材フィーダ３８から定量供給し、原料土Ｒと添加材Ａが回転式破砕混合装置１に同時に投入される場合である。
【００４５】
製造管理システムは、以下のような構成とすることができる。
【００４６】
ａ．改良土情報入力手段
改良土の目標品質に関する情報を入力するための手段であり、具体的には現場または制御室などに設置したコンピュータあるいはモバイル端末などにインストールした管理ソフトに対し、改良土の目標品質を入力することになる。
【００４７】
改良土の目標品質に関する情報としては、改良土の用途または強度に関する情報、改良土の粒度に関する情報、改良土の含水比に関する情報、及び改良土の性状に関する情報のうちの少なくとも２以上を含むものとする。
【００４８】
改良土の用途としては、例えば工作物の埋戻し、建築物の埋戻し、土木構造物の裏込め、河川築堤用盛土、道路用盛土、土地造成用盛土、鉄道盛土、空港盛土、水面埋立等がある。
【００４９】
また、現地発生土が重金属やＶＯＣ（揮発性有機化合物）などの有害物質で汚染されている場合の無害化処理なども含まれる。その場合は、改良土の製造において、不溶化あるいは浄化のための添加材を混合する。
【００５０】
改良土の強度は用途とも関連するが、強度に関する情報としては、目的に応じてコーン指数（ｋＮ/ｍ2）、一軸圧縮試験による一軸圧縮強さ（ｋＮ/ｍ2）、三軸圧縮試験による粘着力（ｋＮ/ｍ2）及び内部摩擦角（φ°）、圧密試験、その他従来から行われている各種試験方法による強度に関連する情報を用いることができる。
【００５１】
改良土の粒度に関する情報としては、改良土における粒度分布、細粒分含有率（％）、最大粒径（ｍｍ）などがあるが、目的に応じて適宜選択することができる。
【００５２】
改良土の含水比（ｗ％）は、土の状態の判断指標として用いられ、概略的な土の種類と含水比の関係としては、例えば腐植土は１００〜１３００％、沖積粘土は５０〜９０％、洪積土は３０〜５０％、砂は８〜１５％、礫は２〜５％程度とされている。
【００５３】
改良土の性状に関する情報としては、例えば土のコンシステンシーの指標としての液性限界・塑性限界試験などの情報や、透水試験による透水係数などがある。
【００５４】
ｂ．原料土情報入力手段
前記原料土に関する情報を入力するための手段であり、改良土の目標品質に関する情報と同様、現場または制御室などに設置したコンピュータあるいはモバイル端末などにインストールした管理ソフトに対し、原料土の情報を入力することになる。
【００５５】
原料土に関する情報には、原料土の種類に関する情報、原料土の粒度に関する情報、原料土の含水比に関する情報、及び原料土の性状に関する情報のうちの少なくとも２以上を含むものとする。原料土は１種類に限らず、複数種用いられる場合には、それぞれの原料土の情報を入力する。
【００５６】
原料土の種類は、原料土として用いられる現場発生土の種類であり、土の粒度組成や、液性限界、塑性限界に基づいて分類されるが、さらに天然材料や人工材料、混じり物の有無なども考慮される。
【００５７】
原料土の粒度、含水比、性状等は、改良土について説明したものと同様であるが、原料土として現場発生土などを用いる場合、含水比やコンシステンシーといった土の性状は、晴天あるいは雨天が続くなど天候に大きく左右されるため、改良土の製造管理において重要である。
【００５８】
なお、原料土の種類と、原料土の粒度組成や、液性限界、塑性限界は関連する概念であるが、大まかな分類としての原料土の種類をとらえ、さらに具体的な数値で表される粒度、含水比、性状等の情報をもとに、改良土の目標品質や処理量などに応じて、回転式破砕混合装置の運転条件、必要に応じて添加される添加材の配合などが決定される。
【００５９】
ｃ．設定記憶手段
具体的には管理ソフトがインストールされたコンピュータあるいはモバイル端末のハードディスク、あるいはCD、DVD、USBフラッシュメモリーなどの外部記憶装置を記憶媒体として用い、改良土の目標品質の実現に適した回転式破砕混合装置の設定条件あるいは運転条件と原料土に関する情報との関係に関するデータまたは関係式を記憶させたものである。
【００６０】
設定記憶手段に蓄積されるデータや関係式は、過去の改良土製造の実績から得られたデータや理論値、実験値などをもとに、原料土との関係において改良土の目標品質を達成する上で、最適と考えられる設定を記憶させるものであり、製造実績の積み重ねにより、随時更新することができる。
【００６１】
また、現場において工事が進行する際に、実際に得られた改良土の品質に関する情報をもとに、フィードバックあるいは更新して行くこともできる。
【００６２】
回転式破砕混合装置の設定条件というのは、例えば回転軸（インパクト部材）の回転数、インパクト部材の形態または仕様、インパクト部材の位置または本数、回転式破砕混合装置の処理量（例えば処理総量、1時間当たりあるいは1日当たりの製造土量など）、稼働時間に関する条件などである。
【００６３】
なお、改良土の製造プラントには、回転式破砕混合装置だけではなく、原料土の搬送設備や添加材の供給設備、改良土の搬出設備などが含まれ、さらに原料土や、添加材、改良土の保管設備などが設けられる場合もあり、これらの稼働、運転条件なども含めて総合的に管理するシステムとすることもできる。
【００６４】
ｄ．設定条件決定手段
具体的にはインストールされた管理ソフトにより、コンピュータあるいはモバイル端末の演算機能、比較機能などを利用し、改良土情報入力手段に入力された情報と、原料土情報入力手段に入力された情報に基づいて、設定記憶手段に記憶されたデータまたは関係式を用いて、回転式破砕混合装置の設定条件あるいは運転条件を決定する。
【００６５】
基本的には、改良土の目標品質や原料土の情報を入力することにより、自動的に設定条件あるいは運転条件が決定される。設定条件に従い、インパクト部材の位置や本数を調整し、回転式破砕混合装置及び周辺設備の運転制御に関する指示を与える。
【００６６】
表１は改良土の目標品質、原料土の情報、設定条件の関係を例として簡略化して示したものである。項目は説明と紙面の都合上、代表的な項目のみを示したもので、実際には項目が多いほど、より効率のよい制御を行うことができる。
【００６７】
【表１】
0006466043.tif 000002
【００６８】
また、本発明の製造管理システムおいて、さらに設定条件決定手段によって決定された回転式破砕混合装置の設定条件や運転条件、他の設備の稼働、運転状況などを表示するモニター（ディスプレイ）などの表示手段を設ければ、プラント設備の管理状況を視覚化することができる。
【００６９】
図６は本発明の製造管理システムにおけるモニター上の運転管理画面の一例を示した図であり、回転式破砕混合装置を含む改良土製造プラント全体の運転状況を管理システムの画面上で目視できるようにしたものである。
【００７０】
画面の左上の部分は、プラントの運転時間や原料土や改良土の配合、含水比などを表示している。画面の右上の部分は、原料土等の供給量と改良土の製造量をグラフで表示できるようにしたものである（図では具体的なグラフの線は省略している）。画面の下の部分は、模式化して表示したプラントの各位置の状況を数値で表示するようにしたものである。
図６で引出し線と符号で示される画面上の文字は以下の通りである。
【００７１】
５１：プラント運転画面
５２：戻る（Ｘ）
５３：計量（Ｍ）
５４：環境設定（Ｃ）
５５：計量開始（Ｆ１）
５６：動作モード設定（Ｆ５）
５７：データ収集画面（Ｆ６）
５８：終了
５９：日運転時間
６０：累積運転時間
【００７２】
６１：項目
６２：配合比（％）
６３：含水比（％）
６４：砂礫土
６５：粘性土
６６：未使用
６７：添加剤
６８：加水１
６９：加水２
７０：改良土
【００７３】
７１：供給量及び製造量
７２：改良土
７３：砂礫土
７４：粘性土
７５：未使用
７６：添加剤
７７：加水１
７８：加水２
【００７４】
８１：改良土
８２：砂礫土
８３：粘性土
８４：未使用
８５：添加剤
８６：加水１
８７：加水２
８８：ツイスター１（回転式破砕混合装置の製品名） 
【００７５】
９１：計量停止中
９２：含水比測定なし
９３：乾燥重量配合比制御
【００７６】
さらに、本発明の製造管理システムによって製造された改良土が目標品質を満たしていることの確認として、回転式破砕混合装置から排出された改良土の品質を測定し、測定された品質の情報を入力するための改良土測定品質情報入力手段及び入力された改良土の測定品質の情報と改良土の目標品質とを対比して回転式破砕混合装置の設定条件を補正するフィードバック手段を設けることで、目標品質を満たしていない場合の修正や、過剰な品質となっている場合の修正を行うことができる。
【００７７】
また、原料土についても、天候や採取位置の変化、その他の影響により製造中に原料土の性状が変化することがあるため、適時、原料土の含水比やコーン指数、改良土の品質を測定して、それらのデータもリアルタイムでプラントシステムに反映させ、データベースに蓄積してシステムの精度を高め、改良品質と生産性の向上を図ることができる。
【００７８】
図７は本発明における改良土の製造工程をフローチャートで簡略化して示したもので、概略的には以下の手順で改良土の製造が行われる。
【００７９】
(1) 改良土情報入力（101）
改良土の目標品質に関する情報として、前述した改良土の用途、強度、粒度、含水比、その他の性状などに関するデータをコンピュータあるいはモバイル端末などから入力する。
【００８０】
(2) 原料土情報入力（102）
原料土に関する情報として、前述した原料土の種類、粒度、含水比、その他の性状などに関するデータをコンピュータあるいはモバイル端末などから入力する。
【００８１】
(3) 装置設定条件記憶データ（103）
前述のように、過去の改良土製造の実績から得られたデータや理論値、実験値などをもとに、原料土との関係において改良土の目標品質を達成する上で、最適と考えられる設定を記憶させるものであり、製造実績の積み重ねにより、随時更新することができる。
【００８２】
(4) 装置設定条件比較・演算（104）
上の(1)、(2)のステップで入力された情報と、(3)のステップの実績記憶手段に記憶されたデータまたは関係式を用いて、比較または演算を行い回転式破砕混合装置や周辺設備の設定条件をコンピュータの比較・演算機能を用いて決定する。
【００８３】
(5) 装置設定条件表示（105）
(4)のステップで決定された回転式破砕混合装置や周辺設備の設定条件をコンピュータ等のモニター画面上に表示し、オペレータあるいは管理者が視覚的に把握できるようにする。
【００８４】
(6) 装置運転（106）
(4)のステップで決定された回転式破砕混合装置や周辺設備の設定条件をもとに、プラントを稼働させる。
【００８５】
(7) 運転状況測定（107）
運転状況については、回転式破砕混合装置の各所に設置されるセンサあるいはモニタリング装置などからのデータを直接管理システムに送ることで、運転状況をリアルタイムで把握することができる。
周辺設備についても土砂の搬送に計量コンベアなどを用いることで、リアルタイムで情報を得ることができる。
【００８６】
(8) 運転状況表示（108）
回転式破砕混合装置及びプラント全体の運転状況をコンピュータ等のモニター画面上に表示する。
例えば、前述した図６のように、運転状況を管理システムの画面上で目視できるようにしたものを用いることができる。
なお、(5)のステップの装置設定条件表示は、画面の切り替えによって、同じモニター上に表示することができる。
【００８７】
(9) 改良土の品質測定（109）
製造された改良土について、目標品質に関する情報として用いた強度、粒度、含水比、その他の性状に関する試験を行い、製造された改良土が目標品質を達成しているかどうかを確認する。
【００８８】
(10) 目標品質との比較（110）
(9)のステップで測定された改良土の品質が目標品質を満たしている場合は、(12)のステップに行き、運転を継続することができる。
(9)のステップで測定された改良土の品質が目標品質を満たしていない場合は、(11)のステップに行く。
【００８９】
(11) 装置設定条件の補正（111）
(10)のステップで、改良土の品質が目標品質を満たしていないと判定された場合は、目標品質との差から設定条件の補正を行うための条件を求め、(4)のステップに戻す。
【００９０】
(12) 運転継続（112）
(10)のステップで、改良土の品質が目標品質を満たしていると判定された場合は、プラントの運転を継続することができ、所定の処理量が達成されれば、運転を終了する。
【００９１】
なお、以上のフローは、説明上、ステップを簡略化したものであり、実際にはさらに細かい制御を行うことができる。
【符号の説明】
【００９２】
Ｒ、Ｒ１、Ｒ２、Ｒ３…原料土、
Ｔ…改良土、
１…回転式破砕混合装置、２…容器、２ａ…上部筒体、２ｂ…下部筒体、２ｃ…中間筒体、２ｄ…フランジ、３…投入口、３ａ…付着防止高分子板、４…取出口、４ａ…付着防止高分子板、５…回転軸、６…インパクト部材、６ａ…金属チェーン、６ｂ…鋼製厚板、６ｃ…金属ブレード、６ｄ…金属製ワイヤ、６ｅ…ワッシャ、７…支持フレーム、８ａ、８ｂ…軸受、９…スクレ−パ、
１１…モーター、１２…原動プーリ、１３…ベルト、１４…従動プーリ、１５…中間筒体回転用モーター、１６ａ、１６ｂ…中間筒体回転支持ベアリング、
２１ａ、２１ｂ…フランジ、２２…ロックピン、
３１…バックホウ、３２…土砂ホッパ、３３…土砂フィーダ、３４…計量コンベア、３５…投入コンベア、３６…排出コンベア、３７…添加材貯蔵サイロ、３８…添加材フィーダ
【要約】
本発明の製造管理システムは回転式破砕混合装置を、改良土の用途や製造時の使用材料の性状や量に応じて、効率的に運用するためのシステムである。本システムは改良土の目標品質に関する情報を入力するための改良土情報入力手段１０１と、原料土に関する情報を入力するための原料土情報入力手段１０２と、改良土の目標品質の実現に適した回転式破砕混合装置の設定条件及び運転条件と原料土に関する情報との関係に関するデータまたは関係式を記憶させた設定記憶手段１０３と、改良土情報入力手段１０１に入力された情報と原料土情報入力手段に入力された情報１０２に基づいて設定記憶手段１０３に記憶されたデータまたは関係式を用い、回転式破砕混合装置の設定条件を比較または演算して決定する設定条件決定手段１０４とを備えている。
【選択図】    図７【図１】
0006466043.tif 000003
【図２】
0006466043.tif 000004
【図３】
0006466043.tif 000005
【図４】
0006466043.tif 000006
【図５】
0006466043.tif 000007
【図６】
0006466043.tif 000008
【図７】
0006466043.tif 000009